(57)【要約】      （修正有）【課題】  誰でもが簡単に安心して使用の出来るライフサイクルの長い誘導棒。【解決手段】  誘導棒付帯の紐のよじれ及び摩耗を防止する為に、紐掛けフックを同体とし軸穴を設けた回転板を形成させ、また軸受けを組み込んたグリップエンド部を形成して、軸ビスに依り装着させる事で誘導棒自体の横回転を可能とし問題の解決を図り、また電気の伝導不良を防止する為に、円錐形のコイルスプリング１４下端にストッパーＡ１５を形成させ、またグリップ部３の乾電池ケース１３内底部にホールとストッパーとを交互に形成させて、コイルスプリングのストッパーを乾電池ケースのホールに収納させ隣接するストッパーに突き当てさせる事でコイルスプリングの回転を阻止し、装着する伝導板１６への横方向圧力を無くして、伝導板の正常なバネ運動を保ち、伝導板の先端部と誘導灯部側との継続接触を確保して、電気の伝導障害を防止した事を特徴とする誘導棒グリップ部の内部構造。【選択図】図５
2008016421.tif 000002
【特許請求の範囲】
【請求項１】
誘導棒グリップ部の乾電池ケース内底部に一定の深さのホールとストッパーとを交互に配置形成させ、また円錐形でスパイラル形状のコイルスプリング下端に先端を下方に向け直角に伸びるストッパーを形成させて、伝導板を装着したコイルスプリングのストッパーを乾電池ケースのホールに収納し隣接するストッパーに突き当てさせてコイルスプリングの回転を阻止する事、に依って伝導板へのコイルスプリング回転に依る横方向の圧力を無くし、伝導板の自由な運動と正常なバネ運動を確保する事に依り、其の伝導板先端部と誘導灯部側との継続接触を確保して、伝導板の接触不良に依る電気の伝導障害を防止した事、を特徴とする誘導棒グリップ部の内部構造。
【請求項２】
紐掛けフックを同体とする回転板に軸穴を形成させ、また誘導棒のグリップエンド部に軸受けを形成させて、軸穴よりも細い軸ビスに依り装着させる事で誘導棒自体の横回転を可能にした事に依って、紐のよじれと摩耗の防止を図った事を特徴とする誘導棒のグリップ部機構。
【発明の詳細な説明】
【技術分野】
【０００１】  本発明は、交通誘導に使用する誘導棒のグリップ部の構造に関する。
【背景技術】
【０００２】  従来使用されている誘導棒グリップ部の構造は、紐活用の操作等に於いては誘導棒自体の横回転が発生するが、其の回転を吸収する機能が無く、紐のよじれに依る誘導棒の不自然な運動を起こすと共に摩耗も起こし易い構造と成っている。【０００３】  またマイナス電気は誘導棒グリップ部の乾電池ケース内に於いて、円錐形でスパイラル形状のコイルスプリング下端に移動可能な状態で装着する伝導板のバネ運動に依って先端部を誘導灯部側に密着させて、またプラス電気は電池の突起部分から直接に、グリップ部を誘導灯部に密着合体させる事に依って電気を伝導する構造と成っている、故に乾電池を挿入し誘導棒を操作するとコイルスプリングは乾電池に依り圧縮されている事で外部から受ける振動によりスパイラル形状の低い方向に向かって回転を起こす、従って伝導板はコイルスプリング（スパイラル形状）の回転に依る横方向の強い圧力を受けてガイドとの摩擦に依り圧し曲げられガイドから外れて全く自由を奪われ動けなく成りバネ運動が図れなく成る、結果として伝導板は誘導灯部側との接触が図れなく成り電気の伝導不良が発生する、と言う大きな欠陥がある。【０００４】  なお伝導板へのコイルスプリング回転に依る横からの圧力は、コイルスプリングがスパイラル形状の為に通常操作でも多発するが回転操作に依って特に強く発生をする。
【発明の開示】
【発明が解決しようとする課題】
【０００５】  上記のごとく、従来の物は夜間操作時に点灯をしなかったり突然消灯する等、大変に危険な状態が発生しやすい物である、と共に誘導棒自体の横回転で起こる問題がリズムカルな操作と紐の耐久性を妨げている物である。【０００６】  本発明は、このよえな点に鑑みて成され、誘導棒グリップ部に横回転作用を吸収する機構を組み入れる事に依って誘導棒の不自然運動と紐の摩耗が防止できるようにする、と共にコイルスプリングの回転を阻止する事に依って伝導板の正常な運動を確保し接触不良による突然の消灯等の問題を解消するように図った事にある。
【問題を解決するための手段】
【０００７】  上記の目的を達成する為に、紐掛け用のフックを同体とし軸穴を設けた回転板を形成させる、と共に軸受けを組み込んだ誘導棒のグリップエンド部を形成して、軸穴よりも僅かに細い軸ビスに依り装着させる事に依って誘導棒自体の横回転を行わせると言う技術的手段を講じている。
【０００８】  誘導棒グリップ部の乾電池ケース内底部にホールとストッパーとを交互に配置形成させる、と共にコイルスプリングの下端に先端を下方に回け直角に伸びるストッパーを形成させて、乾電池ケースのホールにコイルスプリングのストッパーを収納させる事に依ってコイルスプリングの回転を阻止すると言う技術的手段を講じている。
【発明の効果】
【０００９】  以上説明したように、本発明では従来使用されている誘導棒グリップ部内外の一部とコイルスプリングの一部とを改良し、また回転板と軸ビスとを作成して装着させる事で問題を解決した為に、安価に改善が図れて、誰が使用をしても簡単で安心して操作が出来る物となり、また長期間の使用にも耐え得るライフサイクルの長い物となった。
【発明を実施するための最良の形態】
【００１０】  以下、本発明の実施の形態を図面に基づき詳細に説明する。【００１１】  図１〜図５は本発明の実施の形態に係り、図１は誘導棒のグリップ部の外観斜視図、図２はその右側面図、図３はその中央部縦（Ａ〜Ａ線）断面図、図４は図１と図３に於ける横（Ｂ〜Ｂ線）断面図、図５はコイルスプリングに伝導板を装着し乾電池ケース内に装着した状態に於いての図２に於ける縦（Ａ〜Ａ線）断面図。【００１２】  図１と図３で示すように、紐掛け用のフック（１）を同体とし軸穴（５）を設けた回転板（２）を形成させる。【００１３】  軸受け（６）を組み込んだ誘導棒のグリップエンド部（４）を形成して、軸穴よりも僅かに細い軸ビス（７）に依り装着させる事に依って、誘導棒自体の回転を可能にし紐のよじれと摩耗の防止を可能にした、なお回転板のフック（１）は紐の脱着が可能で、しかも簡単には外れないようにする為に先端部と回転板（２）との間を紐の太さの半分程度と狭い状態に構成させる。【００１４】  誘導棒グリップ部（３）の乾電池ケース（１３）内底部の全面に一定の深さのホール（９）とストッパーＢ（８）とを交互に合計８組を配置形成させる。【００１５】  円錐形でスパイラル形状のコイルスプリング（１４）の下端に先端を下方に向け直角に伸びるストッパーＡ（１５）を形成させる、と共に伝導板（１６）を止め具（１７）または溶着に依って横移動が可能な状態でコイルスプリング部分の下端に装着し、伝導板（１６）を２本のガイド（１０）の間に挿入しながらストッパーＡ（１５）を乾電池ケース（１３）のホール（９）に収納して伝導板（１６）の上部先端部を止め具（１８）に依り伝導板ホール（１１）内でスライド可能な状態に装着する。【００１６】  上記の構造により乾電池ケース（１３）に乾電池を挿入し装着ネジ（１９）で誘導灯の装着部に合体させる事に依って、ストッパーＡ（１５）は誘導棒の操作によるコイルスプリング（１４）自体の自然回転によりホール（９）に隣接するストッパーＢ（８）の壁面に突き当たる事と成る、故にコイルスプリング（１４）の回転は完全に止める事が出来る事となる。
従って伝導板（１６）はコイルスプリング（１４）自体の回転が止まり固定される事に依って横方向からの圧力を全く受ける事が無く成り、ガイド（１０）との間に摩擦も発生せず、自由な運動が保たれて、正常なバネ運動により先端部と誘導灯部側との継続接触（密着）が確保できる事に成り、伝導板（１６）の接触不良による電気の伝導障害を防止することが出来る事と成る。
【実施例】
【００１７】  本発明の実施により、誰が使用をしても紐の柔軟性を充分に活用する事に依って簡単でリズムカルなスピード感のある誘導操作を可能とした、また特に夜間使用に際しては極めて高い信頼を得られる安全で安心して使用の出来る物と成となり、またライフサイクルの長い物にする事が出来た。
【産業上の利用可能性】
【００１８】  本発明は警備業用品の製造、販売する産業分野で利用する事ができる。
【図面の簡単な説明】
【００１９】
【図１】本発明の実施に係る誘導棒のグリップ部の外観斜視図である。
【図２】図１の誘導棒のグリップ部の右側面図である。
【図３】図２の誘導棒のグリップ部のＡ〜Ａ線断面図である。
【図４】図１と図３に於けるＢ〜Ｂ線断面図である。
【図５】コイルスプリングに伝導板を装着し乾電池ケース内に挿入装着した状態の図２に於けるＡ〜Ａ線断面図である。
【符号の説明】
【００２０】  １    フック                ２    回転板              ３    グリップ部
４    グリップエンド        ５    軸穴                ６    軸受け
７    軸ビス                ８    ストッパーＢ        ９    ホール
１０    ガイド              １１    伝導板ホール      １２    止め具ホール
１４    乾電池ケース        １５    ストッパーＡ      １６    伝導板
１７    止め具              １８    止め具            １９    装着ネジ
２０    フランヂ
【図１】
2008016421.tif 000003
【図２】
2008016421.tif 000004
【図３】
2008016421.tif 000005
【図４】
2008016421.tif 000006
【図５】
2008016421.tif 000007
【手続補正書】
【提出日】平成18年9月21日(2006.9.21)
【手続補正１】
【補正対象書類名】特許請求の範囲
【補正対象項目名】全文
【補正方法】変更
【補正の内容】
【特許請求の範囲】
【請求項１】
紐掛けフックを同体とする回転板に軸穴を形成させる、と共に軸受けを組み込んだ誘導棒のグリップエンド部を形成して、双方を軸穴より僅かに細い軸ビスで合体させる事で誘導棒自体の横回転を可能にした事に依って紐のよじれと摩耗の防止を図った事、を特徴とする誘導棒のグリップ部機構。
【請求項２】
誘導棒グリップ部の乾電池ケース内底部に一定の深さのホールとストッパーＢとを交互に配置形成させる、と共に円錐形でスパイラル形状のコイルスプリング最大外径部端末には先端を下方に向け直角に伸びるストッパーＡを形成させて、伝導板を装着させたコイルスプリングのストッパーＡを乾電池ケースのホールに収納しグリップ部に装着させる事で、コイルスプリングのストッパーＡを乾電池挿入による押し戻し圧力でホール隣接のストッパーＢに突き当てさせる事に依ってコイルスプリングの回転を止める事、を特徴とする誘導棒グリップ部の内部構造。
【請求項３】
円錐形のコイルスプリングの最大外径を乾電池ケース内壁より内側に突出するガイドの厚さを差し引いた内径（円形）と同一とし、其の最大外径部端末を外側に直角に曲げると共に長さをガイドの厚さ強としたストッパーＣを形成する事、又は伝導板装着の為の長穴を有し乾電池ケースの内壁形状と外径を同じくした円形伝導板を形成させて其の円形伝導板にコイルスプリングの最大外径端末部を溶着する事、の方法で乾電池ケース内壁との密着及び内側に突出するガイドの側面にストッパーＣまたは円形伝導板の一部を突き当てさせる事に依ってコイルスプリングの回転を止める事、を特徴とする誘導棒グリップ部の内部構造。
【手続補正２】
【補正対象書類名】明細書
【補正対象項目名】全文
【補正方法】変更
【補正の内容】
【発明の詳細な説明】
【技術分野】
【０００１】  本発明は、交通誘導に使用する誘導棒のグリップ部の構造に関する。
【背景技術】
【０００２】  従来使用されている誘導棒グリップ部の構造は、紐活用の操作等に於いて誘導棒自体の横回転が発生するが、其の回転を吸収する機能が無く紐のよじれに依り誘導棒が不自然な反動運動を起こす事となる、と共に摩耗も起こし易い構造と成っている。【０００３】  また従来の誘導棒はグリップ部の乾電池ケース内に於いて、マイナス電気は円錐形でスパイラル形状のコイルスプリング最大外形部端末に移動可能な状態で装着させた伝導板のバネ運動に依って先端部を誘導灯部側に密着させ、またプラス電気はグリップ部を誘導灯部に合体させる事に依って電池の突起部分から直接に伝導する構造と成っている、  従ってコイルスプリングは乾電池を挿入し誘導棒を操作する事で乾電池に圧縮されている関係に依り外部から受ける振動に依って最大外形部に対しスパイラル形状の低い方向に回転を起こす事となる、従って伝導板はスパイラル形状コイルスプリングの回転に依る横方向の強い圧力を受ける事と成りガイドとの摩擦で圧し曲げられガイドから外れる等、自由を奪われ動け成ると共に正常なバネ運動が図れなく成り伝導板先端部と誘導灯部側との継続する接触が図れなく成って電気の伝導障害が発生する大きな欠陥がある、  尚、伝導板へのコイルスプリング回転に依り発生する摩擦及び圧力はコイルスプリングがスパイラル形状の為に通常操作でも多発するが特に回転操作に依って強く発生をする傾向がある。
【発明の開示】
【発明が解決しようとする課題】
【０００４】  上記のごとく、従来の物は操作時に誘導棒自体の横回転で起こる紐のよじれに依り発生する反動運動がリズムカルな操作と紐の耐久性を妨げている構造の物である、と共に電気の伝導障害に依り夜間操作時に点灯をしなかったり突然消灯する等、危険な状態が発生しやすい物である。【０００５】  本発明は、このような点に鑑みて成され、誘導棒グリップ部の横回転作用を吸収する機構を組み入れる事に依って誘導棒の不自然運動と紐の摩耗が防止出来るようにする、と共にコイルスプリングの回転を阻止する事に依って伝導板の正常なバネ運動を確保して伝導板の接触不良による突然の消灯等の問題を解消するように図った事にある。
【問題を解決するための手段】
【０００６】  上記の目的を達成するために請求項１では紐掛け用フックを同体とし軸穴を設けた回転板を形成させる、と共に軸受けを組み込んだ誘導棒のグリップエンド部を形成して、双方を軸穴より僅かに細い軸ビスで合体させる事に依って誘導棒自体の横回転を行わせる、と言う技術的手段を講じている。
【０００７】  請求項２では誘導棒グリップ部の乾電池ケース内底部にホールとストッパーＢとを交互に形成させる、と共にコイルスプリングの最大外径部端末には先端を下方に向け直角に伸びるストッパーＡを形成させて、伝導板を装着させたコイルスプリングのストッパーＡを乾電池ケースのホールに収納しグリップ部に装着して、コイルスプリングのストッパーＡをホール隣接のストッパーＢに突き当てさせてコイルスプリングの回転を止める、と言う技術的手段を講じている。
【０００８】  請求項３では円錐形のコイルスプリング最大外径を乾電池ケース内壁より突出するガイドの厚さを差し引いた内径と同一とし、其の最大外径部端末を外側に曲げると共に長さをガイドの厚さ強としたストッパーＣを形成させる事、又は伝導板装着の為の長穴を有し乾電池ケースの内壁形状と外径を同じくした円形伝導板を形成し其の円形伝導板に円錐形のコイルスプリング最大外形部下端を溶着させる事、に依って乾電池ケース内壁との密着及び内側に突出するガイドに依りコイルスプリングの回転を止める、と言う技術手段を講じている。
【発明の効果】
【０００９】  以上説明したように、本発明では従来使用されている誘導棒グリップ部の一部内外の改造で問題を解決した為に、安価に改善が図れる、と共に付帯紐の活用が充分に図れ電気の伝導障害も除去が図れた事に依って安心の出来る信頼の高い物となり長期間の使用にも耐え得る物となった。
【発明を実施するための最良の形態】
【００１０】  以下、本発明の実施の形態を図面に基づき詳細に説明する。【００１１】  図１〜図９は本発明の実施の形態に係り、図１は誘導棒のグリップ部の外観斜視図、図２はその右側面図、図３は図２に於ける中央部縦（Ａ〜Ａ線）断面図、図４は図１と図３に於ける横（Ｂ〜Ｂ線）断面図、図５はストッパーＡを形成させたコイルスプリングに伝導板を装着し乾電池ケース内に装着した状態での図２に於ける縦（Ａ〜Ａ線）断面図、図６はストッパーＣを形成させたコイルスプリングの外観斜視図、図７は円形伝導板の平面図、図８はストッパーＣを形成させたコイルスプリングに伝導板を装着し乾電池ケース内に装着した状態での図２に於ける縦（Ａ〜Ａ線）断面図、図９は円形伝導板に伝導板を装着すると共にコイルスプリングを溶着し乾電池ケース内に装着した状態での図２に於ける縦（Ａ〜Ａ線）断面図。【００１２】  請求項１に依る方法は図１と図３で示すように、紐掛け用のフック（１）を同体とし軸穴（５）を設けた回転板（２）を形成させると共に軸受け（６）を組み込んだ誘導棒のグリップエンド部（４）を形成して、双方を軸穴（５）より僅かに細い軸ビス（７）により合体させる事に依って誘導棒自体の回転を可能にし紐のよじれと摩耗の防止を可能にした事を特徴とする、なお回転板（２）のフック（１）の形成については紐が装着状態のままで脱着が可能であると共に簡単には外れないようにする為に先端部と回転板（２）との間隔を紐の太さの半分程度とする。【００１３】  請求項２に依る方法は図２〜図４で示すように誘導棒グリップ部（３）の乾電池ケース（１３）内底部の全面に一定の深さのホール（９）とストッパーＢ（８）とを交互に合計８組〜１２組を配置形成させる、と共に図５で示すように円錐形でスパイラル形状のコイルスプリング（１４）の最大外形部端末に先端を下方に向け直角に伸びるストッパーＡ（１５）を形成させ、伝導板（１６）を止め具（１７）又は溶着に依って横移動が可能な状態でコイルスプリングの最大外形端末部に装着し、伝導板（１６）を２本のガイド（１０）の間に挿入しストッパーＡ（１５）を乾電池ケース（１３）のホール（９）に収納して伝導板（１６）の上部先端部を止め具（１８）に依り伝導板ホール（１１）内及び止め具ホール（１２）内に於いてスライド可能な状態でグリップ部（３）に装着する、従って上記構造のために乾電池ケース（１３）に乾電池を挿入し装着ネジ（１９）で誘導灯の装着部に合体させる事に依って、ストッパーＡ（１５）が誘導棒の操作によるコイルスプリング（１４）自体の自然回転によりホール（９）に隣接するストッパーＢ（８）の壁面に突き当たる（図５参照）事と成ってコイルスプリング（１４）の回転を完全に止める事が出来る。【００１４】  請求項３に依る方法は図６と図８で示すように円錐形のコイルスプリング（１４）の最大外径を乾電池ケース（１３）内壁より内側に突出するガイド（１０）の厚さを差し引いた内径（円形）と同一とし、其の最大外径部端末を外側に直角に曲げると共に長さをガイド（１０）の厚さ強としたストッパーＣ（２１）を形成させて、伝導板（１６）を止め具（１７）または溶着に依って横移動が可能な状態でコイルスプリングの最大外形部に装��し、伝導板（１６）を乾電池ケース内の２本のガイド（１０）の間に挿入し押し込み収納して伝導板（１６）の上部先端部を前記と同様にグリップ部（３）に装着する、従って上記構造のため乾電池ケース（１３）に乾電池を挿入し装着ネジ（１９）で誘導灯の装着部に合体させる事に依って、コイルスプリングの最大外形部は乾電池ケース内壁に密着しながらストッパーＣ（２１）が誘導棒の操作によるコイルスプリング（１４）自体の自然回転に依りガイド（１０）の側面に突き当たる（図８参照）事と成ってコイルスプリング（１４）の回転は完全に止める事が出来る。  又は図７と図９で示すように伝導板（１６）の装着の為の長穴（２３）を有し乾電池ケース（１３）の内壁形状と外径を同じくした円形伝導板（２２）を作成し、其の円形伝導板（２２）にストッパーＡ（１５）及びストッパーＣ（２１）の加工を施さない円錐形のコイルスプリング（１４）の最大外形端末部を溶着（２４）する、と共に伝導板（１６）を止め具（１７）または溶着に依り装着させ乾電池ケース（１３）内に押し込み収納して伝導板（１６）の上部先端部を前記と同様にグリップ部（３）に装着する、  従って上記構造のため円形伝導板（２２）を乾電池ケース（１３）内に押し込む事でガイド（１０）及び内壁とに密着させ固定させる（図９参照）事に依って、コイルスプリング（１４）の回転を完全に止める事が出来る。
【実施例】
【００１５】  以上請求項１の実施に依り誘導棒自体の横回転を可能にした事に依ってフック（１）に装着する紐のよじれに依り発生する反動運動の除去と摩耗の防止が図れると共に、紐の柔軟性を充分に活用する事に依って回転操作等のリズムカルなスピード感のある誘導操作を可能とし、また誘導棒の操作に伴い多発する電気の伝導障害を阻止する為に請求項２及び請求項３のいずれかの実施によりコイルスプリング（１４）の回転を止める事に依って伝導板（１６）はコイルスプリングの回転で発生する摩擦及び圧力を受ける事が無く成りガイド（１０）との間に摩擦も発生せず正常なバネ運動が確保されて、伝導板（１６）と誘導灯側との接触不良に依る電気の伝導障害を無くし突然の消灯等を解消した事、で極めて高い信頼を得られ安全で安心して使用の出来る物と成りライフサイクルの長い物とする事が出来た。
【産業上の利用可能性】
【００１６】  本発明は警備業用品の製造、販売する産業分野で利用する事ができる。
【図面の簡単な説明】
【００１７】
【図１】本発明の実施に係る誘導棒のグリップ部の外観斜視図である。
【図２】図１に於ける誘導棒グリップ部の右側面図である。
【図３】図２に於ける誘導棒グリップ部のＡ〜Ａ線断面図である。
【図４】図１と図３に於けるＢ〜Ｂ線断面図である。
【図５】ストッパーＡを形成させたコイルスプリングに伝導板を装着すると共に乾電池ケース内に装着した状態での図２に於けるＡ〜Ａ線断面図である。
【図６】ストッパーＣを形成したコイルスプリングの外観斜視図である。
【図７】円形伝導板の平面図である。
【図８】ストッパーＣを形成させたコイルスプリングに伝導板を装着すると共に乾電池ケース内に装着した状態での図２に於けるＡ〜Ａ線断面図である。
【図９】円形伝導板に伝導板を装着すると共にコイルスプリングを溶着して乾電池ケース内に装着した状態での図２に於けるＡ〜Ａ線断面図である。
【符号の説明】
【００１８】  １    フック                ２    回転板              ３    グリップ部  ４    グリップエンド        ５    軸穴                ６    軸受け  ７    軸ビス                ８    ストッパーＢ        ９    ホール１０    ガイド              １１    伝導板ホール      １２    止め具ホール１３    乾電池ケース        １４    コイルスプリング  １５    ストッパーＡ１６    伝導板              １７    止め具            １８    止め具１９    装着ネジ            ２０    フランヂ          ２１    ストッパーＣ２２    円形伝導板          ２３    長穴              ２４    溶着
【手続補正３】
【補正対象書類名】図面
【補正対象項目名】全図
【補正方法】変更
【補正の内容】
【図１】
2008016421.tif 000008
【図２】
2008016421.tif 000009
【図３】
2008016421.tif 000010
【図４】
2008016421.tif 000011
【図５】
2008016421.tif 000012
【図６】
2008016421.tif 000013
【図７】
2008016421.tif 000014
【図８】
2008016421.tif 000015
【図９】
2008016421.tif 000016